(57)【要約】【課題】業務の煩雑化等を回避しつつ、精算期間の経過した残価値に起因する遊技客と遊技店とのトラブルの発生を抑制することが可能な残価値管理方法及びそのシステムを提供する。【解決手段】遊技客の遊技の結果として得られた識別媒体及び遊技媒体貸出機で貨幣の投入を受けたものの遊技媒体の貸出を行わなかった残価値を遊技客が有する識別媒体に関連付けて記録する。そして、精算期限が経過した残価値は、遊技媒体に変換して記録し、景品との交換に際しては、等価換算で景品と交換するなど、遊技の結果として得られた遊技媒体に比べて有利な条件で景品と交換する。【選択図】  図１
2004329663.tif 000002
【特許請求の範囲】
【請求項１】
有価価値となる貨幣を受け入れて遊技媒体を貸し出し、前記遊技媒体の貸し出しに伴って生じる残価値を識別媒体に関連付けて記録し、前記残価値に基づいて貨幣を投出して該残価値の精算を行う残価値管理方法において、
前記残価値を精算することが可能な精算期限が経過しているかを判断し、
前記精算期限の経過の判断により該精算期限を経過したと判断した前記残価値を任意の遊技媒体に変換し、
前記残価値を変換した前記遊技媒体を前記識別媒体に関連付けて記録する
ことを特徴とする残価値管理方法。
【請求項２】
有価価値となる貨幣を受け入れて遊技媒体を貸し出し、前記遊技媒体の貸し出しに伴って生じる残価値を識別媒体に関連付けて記録し、前記残価値に基づいて貨幣を投出して該残価値の精算を行う残価値管理方法において、
前記残価値を精算することが可能な精算期限が経過しているかを判断し、
前記識別媒体が会員用識別媒体であるかを判断し、
前記精算期限の経過の判断により該精算期限を経過し、且つ前記識別媒体が会員用媒体であると判断した前記残価値を任意の遊技媒体に変換し、
前記残価値を変換した前記遊技媒体を前記識別媒体に関連付けて記録する
ことを特徴とする残価値管理方法。
【請求項３】
前記残価値の精算を行う際に該残価値が前記精算期限を経過しているかを判断し、
前記精算期限を経過していない場合は、前記残価値に基づいて貨幣の払出しを行う
ことを特徴とする請求項１または２記載の残価値管理方法。
【請求項４】
遊技の結果として得られた遊技媒体を前記識別媒体に関連付けて記録し、
前記残価値を変換した前記遊技媒体と遊技の結果として得られた前記遊技媒体との取り扱いを異ならせる
ことを特徴とする請求項１または２記載の残価値管理方法。
【請求項５】
前記遊技媒体は、景品と交換することが可能であり、
前記残価値を変換した前記遊技媒体は、前記遊技の結果として得られた前記遊技媒体に比べて有利な条件で前記景品と交換する
ことを特徴とする請求項４記載の残価値管理方法。
【請求項６】
有価価値となる貨幣を受け入れて遊技媒体を貸し出す遊技媒体貸出装置と、前記遊技媒体の貸し出しに伴って生じる残価値を識別媒体に関連付けて記録する管理装置と、前記識別媒体を受け付けると共に該識別媒体に関連付けて前記管理装置に記録された前記残価値に基づいて貨幣を投出する精算装置とを具備する残価値管理システムにおいて、
前記残価値を精算することが可能な精算期限が経過しているかを判断する手段と、
前記精算期限を経過した残価値を任意の遊技媒体に変換し、前記識別媒体に関連付けて記録する記録手段と
を具備することを特徴とする残価値管理システム。
【請求項７】
有価価値となる貨幣を受け入れて遊技媒体を貸し出す遊技媒体貸出装置と、前記遊技媒体の貸し出しに伴って生じる残価値を識別媒体に関連付けて記録する管理装置と、前記識別媒体を受け付けると共に該識別媒体に関連付けて前記管理装置に記録された前記残価値に基づいて貨幣を投出する精算装置とを具備する残価値管理システムにおいて、
前記残価値を精算することが可能な精算期限が経過しているかを判断する精算期限判断手段と、
前記識別媒体が会員用識別媒体であるか否かを判断する識別媒体種類判断手段と、
前記精算期限を経過していると判断され、且つ識別媒体が会員用識別媒体であると判断された残価値を任意の遊技媒体に変換し、前記識別媒体に関連付けて記録する記録手段と
を具備することを特徴とする残価値管理システム。
【請求項８】
前記精算期限経過の判断は、前記残価値を精算する際に行い、前記精算期限を経過していない場合は、前記残価値に基づいて貨幣の払出しを行う
ことを特徴とする請求項６または７記載の残価値管理システム。
【請求項９】
遊技の結果として得られた遊技媒体を前記識別媒体に関連付けて記録する手段をさらに具備し、
前記残価値を変換した前記遊技媒体と遊技の結果として得られた前記遊技媒体との取り扱いを異ならせる
ことを特徴とする請求項６または７記載の残価値管理システム。
【請求項１０】
前記遊技媒体と景品とを交換する手段をさらに具備し、
前記残価値を変換した前記遊技媒体は、前記遊技の結果として得られた前記遊技媒体に比べて有利な条件で前記景品と交換する
ことを特徴とする請求項９記載の残価値管理システム。
【発明の詳細な説明】
【０００１】
【発明の属する技術分野】
本発明は、残価値管理方法及びそのシステムに関し、特に、遊技媒体貸出装置に貨幣が投入されたものの遊技媒体の貸し出しが行われななかった貨幣の額（残価値）を識別媒体に関連付けて記録する残価値管理方法及びそのシステムに関する。
【０００２】
【従来の技術】
スロット（パチスロ）やパチンコなどの遊技は、メダル貸出機やパチンコ玉貸出機などの遊技媒体貸出機から借り受けたメダルやパチンコ玉などの遊技媒体をスロットマシン（パチスロ台）やパチンコ台などの遊技機で使用することにより行なわれる。
【０００３】
このとき、台間メダル貸出機など、高額紙幣を含む貨幣を受け付けることが可能な遊技媒体貸出機では、貨幣の投入を受け付けてメダル等の遊技媒体を貸し出しを行い、貨幣を受け付けたもののメダル等の貸し出しが行われずに残金が発生すると、高額紙幣に関連付けられたＩＣコインを投出し、精算機で精算を行っていた（例えば、特許文献１参照）。
【０００４】
また、遊技媒体の貸出方法としては、他に、予めプリペイドカードを発行し、該プリペイドカードが遊技媒体貸出機等に挿入されると遊技媒体を貸し出すという方法も用いられていた。
【０００５】
しかし、これらの方法では、ＩＣコインやプリペイドカードを店員が遊技媒体貸出機やプリペイドカード販売機に補充する必要があり、店員の手間となっていた。
【０００６】
また、ＩＣコインやプリペイドカードを補充する際には、遊技台や販売機を遊技客が利用できないため、稼働率が低下するという問題もあった。
【０００７】
【特許文献１】
特開２００２−１８１０９号公報
【０００８】
【発明が解決しようとする課題】
そこで、本願出願人は、高額紙幣を含む貨幣を受け付けることが可能な遊技媒体貸出機において、残金（残価値）が発生すると、残価値を精算カードなどの記録媒体に関連付けてターミナルコンピュータ（Ｔ／Ｃ）に記録し、精算カードが精算機に挿入されると、残価値に基づいて貨幣の払い出しを行い、また、他のメダル貸出機に挿入されると、残価値に基づいてメダルの貸し出しを行うシステムを提案している。
【０００９】
しかし、メダルや玉といった遊技媒体として遊技店から返却されるものは、返却期限等が定められていないが、残価値は、貨幣として返却されるため精算期限が定められていることが多く、精算期限の経過に起因するトラブルが遊技客と遊技店との間で生じる恐れがある。
【００１０】
また、精算期限は、一般的に当日限りであり、当日精算を忘れて帰宅した遊技客等からの問い合わせが発生し、店員の作業が煩雑化する恐れもある。
【００１１】
一方、翌日以降の精算を認めると、問い合わせが生じることによる煩雑化や精算期限切れによるトラブルの発生が減少することは期待されるものの、遊技店では、閉店後、残価値を有しているが精算されていない精算カードのリストを作成し、翌日以降、遊技客の求めに応じて店員が精算作業を行なわなければならず、店員の作業が煩雑化する。
【００１２】
また、遊技店は、日毎の現金管理を行っているため、未精算の精算カードがある場合は、翌日の営業に必要な準備金以外に、残価値を精算するための現金を管理する必要も生じる。
【００１３】
加えて、返却がメダルや玉などの遊技媒体である点を除けば、精算カードとプリペイドカードとは同様の使い方をするため、２重管理となり、管理が煩雑化し、間違いが発生する恐れがある。
【００１４】
そこで本発明では、業務の煩雑化等を回避しつつ、精算期間の経過した残価値に起因する遊技客と遊技店とのトラブルの発生を抑制することが可能な残価値管理方法及びそのシステムを提供することを目的とする。
【００１５】
【課題を解決するための手段】
本発明に係る遊技媒体貸し出し方法は、有価価値となる貨幣を受け入れて遊技媒体を貸し出し、遊技媒体の貸し出しに伴って生じる残価値を識別媒体に関連付けて記録し、残価値に基づいて貨幣を投出して該残価値の精算を行う残価値管理方法において、残価値を精算することが可能な精算期限が経過しているかを判断し、精算期限を経過した残価値を任意の遊技媒体に変換し、残価値を変換した遊技媒体を識別媒体に関連付けて記録する。
【００１６】
また、残価値の精算を行う際に該残価値が精算期限を経過しているかを判断し、精算期限を経過していない場合は、残価値に基づいて貨幣の払出しを行う。
【００１７】
また、遊技の結果として得られた遊技媒体を識別媒体に関連付けて記録し、残価値を変換した遊技媒体と遊技の結果として得られた遊技媒体との取り扱いを異ならせる。
【００１８】
また、遊技媒体は、景品と交換することが可能であり、残価値を変換した遊技媒体は、遊技の結果として得られた遊技媒体に比べて有利な条件で景品と交換する。
【００１９】
次に、本発明に係る遊技媒体貸し出しシステムでは、有価価値となる貨幣を受け入れて遊技媒体を貸し出す遊技媒体貸出装置と、遊技媒体の貸し出しに伴って生じる残価値を識別媒体に関連付けて記録する管理装置と、識別媒体を受け入れると共に該識別媒体に関連付けて管理装置に記録された残価値に基づいて貨幣を投出する精算装置とを具備する残価値管理システムにおいて、残価値を精算することが可能な精算期限が経過しているかを判断する手段と、精算期限の経過の判断により該精算期限を経過したと判断した残価値を任意の遊技媒体に変換し、識別媒体に関連付けて記録する手段とを具備する。
【００２０】
また、精算期限経過の判断は、残価値を精算する際に行い、精算期限を経過していない場合は、残価値に基づいて貨幣の払出しを行う。
【００２１】
また、遊技の結果として得られた遊技媒体を識別媒体に関連付けて記録する手段をさらに具備し、残価値を変換した遊技媒体と遊技の結果として得られた遊技媒体との取り扱いを異ならせる。
【００２２】
また、遊技媒体と景品とを交換する手段をさらに具備し、残価値を変換した遊技媒体は、遊技の結果として得られた遊技媒体に比べて有利な条件で景品と交換する。
【００２３】
【発明の実施の形態】
以下、本発明に係る残価値管理方法及びそのシステムを添付図面を参照して詳細に説明する。
【００２４】
図１は、本発明に係る残価値管理システムの全体構成を示す概略図であり、投入された貨幣の額に応じてメダルの貸し出しを行うメダル貸出機１０、メダル貸出機１０で発生した残金の額（残価値）をメダル貸出機１０に挿入された記録媒体の識別情報に関連付けてデータベースに記録するＴ／Ｃ（Ｔｅｒｍｉｎａｌ  ｃｏｎｔｒｏｌｌｅｒ）やＰＣ（ｐｅｒｓｏｎａｌ  ｃｏｍｐｕｔｅｒ）などの管理装置２０、残価値に基づいて貨幣の払い出しを行う精算機３０、投入されたメダルの数を計数するメダル計数機４０が設けられている。
【００２５】
本実施の形態では、カードＩＤ（識別情報）が記録された精算カードを記録媒体として用いる。
【００２６】
この精算カードには、残金が存在する状態でメダル貸出機から離れる遊技客に配布する一般カードと、会員登録を行った会員に配布する会員カードとがあり、遊技店で保管しているメダルの数（貯メダル）や残価値、精算期限などの情報は、カードＩＤに関連付けてデータベースに記録されている。
【００２７】
なお、カードＩＤには、カードの種類（会員カード／一般カード）を示す情報が含まれており、カードＩＤを用いてカードの種類を判別することが可能である。
【００２８】
図２は、メダル貸出機１０の構成を示す概略ブロック図であり、図に示すようにメダル貸出機１０には、貨幣投入口１１−１から投入される貨幣を識別する貨幣識別部１１−２、カード挿入口１２−１から挿入される精算カードに記録された情報を読み取るカードリーダ１２−２、投入された貨幣の額や残価値等を表示する表示部１３、精算を指示する精算ボタン１４、メダルの貸し出しを指示する貸出ボタン１５、予めメダルを収納し、要求された枚数のメダルを繰り出すメダル貸出部１６−２、繰り出されたメダルを外部へ投出するメダル投出口１６−１、カードリーダ１２−２に挿入された精算カードの識別情報（カードＩＤ）や残価値等を送受信する通信インターフェイス（Ｉ／Ｆ）１７、カードＩＤや残価値等を一時的に記録するメモリ１８、メダル貸出機１０を制御する貸出機制御部１９が設けられている。
【００２９】
そして、メダル貸出機は、遊技機毎に設けられており、貨幣が投入されると一定金額分毎にメダルの貸し出しを行い、残価値が発生すると発生した残価値を管理装置に送信する。
【００３０】
また、カードリーダに精算カードが挿入されると、精算カードに関連付けて記録された残価値を管理装置に問い合わせ、貸出ボタンが操作されると前記残価値を使って一定金額分毎にメダルの貸し出しを行う。
【００３１】
図３は、管理装置の構成を示す概略ブロック図であり、図に示すように管理装置２０には、管理装置２０における各種の処理を行うＣＰＵ２１、ＣＰＵ２１で各種処理を行うためのプログラム等を格納するＲＯＭ２２、残価値等を記録するデータベース２３、ディスプレイ等の表示部２４、キーボード等の入力部２５、精算カードのカードＩＤや残価値等を送受信する通信インターフェイス（Ｉ／Ｆ）２６が設けられている。
【００３２】
そして、本発明に係る管理装置では、残価値を受信するとカードＩＤに関連付けて残価値をデータベース２３に記録し、また、残価値の精算期限を判断して貯メダルに変換する処理を行う。
【００３３】
図４は、精算機の構成を示す概略ブロック図であり、図に示すように精算機３０には、カード挿入口３１−１から挿入される精算カードのデータを読み取るカードリーダ３１−２、カードリーダに挿入された精算カードの残価値や払い出し金額を表示する表示部３２、貨幣を払い出す貨幣払出口３３−１、貨幣を繰り出して識別する貨幣識別部３３−２、貨幣を収納する貨幣収納部３４、カードリーダ３１−２に挿入された精算カードのカードＩＤや残価値等を送受信する通信インターフェイス（Ｉ／Ｆ）３５、カードＩＤや残価値等を一時的に記録するメモリ３６、必要に応じて印刷出力するプリンタ３７、精算機３０を制御する精算機制御部３８が設けられている。
【００３４】
そして、本発明に係る精算機では、精算カードが挿入されるとカードＩＤ等を管理装置に送信し、残価値を受信すると、残価値に基づいて貨幣の払い出しを行う。
【００３５】
図５は、メダル計数機の構成を示す概略ブロック図であり、図に示すようにメダル計数機４０には、カード挿入口４１−１から挿入される精算カードのデータを読み取るカードリーダ４１−２、メダルの投入を受けるメダル投入口４２、投入されたメダルの数を計測する計数部４３、投入されたメダル数を表示する表示部と、計数されたメダルを精算カードに関連付けて記録するか、計数レシートとして発行するかを指示する操作部とを兼ねるタッチパネル４４、計数レシートを印刷するプリンタ４６−２、印刷された計数レシートを外部へ発行するレシート発行口４６−１、カードリーダ４１−２に挿入された精算カードのカードＩＤや残価値等を送信する通信インターフェイス（Ｉ／Ｆ）４５、計数機４０を制御するメダル計数機制御部４７が設けられている。
【００３６】
そして、本発明に係る計数機では、メダルが投入されるとメダル数を計数し、該計数値を精算カードに関連付けて記録することが指示された場合には、カードリーダに挿入された精算カードのカードＩＤと共に計測したメダル数を管理装置に送信する。
【００３７】
なお、計数したメダル数を計数レシートに記録して発行することも可能である。操作部を操作して計数レシートの発行が指示されると、該計数値が記録された計数レシートがプリンタによって印刷される。この計数レシートは、景品交換コーナに持ち込むと景品と交換される。
【００３８】
本発明における残価値管理システムでは、メダル貸出機で残価値が発生すると、発生した残価値を管理装置のデータベースに記録する。
【００３９】
そして、精算期限が経過した残価値は、貯メダルに変換して管理を行うと共に、景品交換時には、メダル計数機で計数した勝ち分の貯メダルに比べて有利な条件で景品交換を行うことを可能とする。
【００４０】
次に、本発明に係る残価値管理方法及びそのシステムの動作の一例について、図面を用いて説明する。
【００４１】
図６は、メダル貸出機１０において発生した残価値を管理装置２０に記録する動作を示すフローチャートである。
【００４２】
まず、メダル貸出機１０において貨幣の投入をうけたが、メダルを貸し出していない残金（残価値）が発生し、遊技者がメダル貸出機１０の精算ボタンを押すなど、メダル貸出機１０において精算指示を受ける（ステップ１００）と、精算カードが有るかの判断を行い（ステップ１０１）、精算カードがあると判断する（ステップ１０１でＹＥＳ）と、挿入されている精算カードのカードＩＤ（識別情報）を読み取る（ステップ１０２）。
【００４３】
一方、精算カードがないと判断する（ステップ１０１でＮＯ）と、メダル貸出機の表示部に表示するなどの方法で精算カードを要求し（ステップ１０３）、精算カードが挿入される（ステップ１０４）と、挿入された精算カードのカードＩＤ（識別情報）を読み取る（ステップ１０２）。
【００４４】
そして、読み取ったカードＩＤ及びメダル貸出機で発生した残価値を管理装置２０に送信し（ステップ１０５）、管理装置２０では、カードＩＤに関連付けてデータベースの残価値を更新する（ステップ１０６）。
【００４５】
また、管理装置２０は、精算カードの排出指示をメダル貸出機１０に送信し（ステップ１０７）し、メダル貸出機１０は、挿入されている精算カードを排出する（ステップ１０８）。
【００４６】
次に、データベースに記録された残価値（未精算金）のうち、精算期限を経過した残価値を管理装置において貯メダルに変換する動作について、図７を用いて説明する。
【００４７】
まず、店員の操作や日付が変わるなど、任意の条件をきっかけとして管理装置が精算指示を受ける（ステップ２００）と、残価値を有するカードＩＤをデータベースにおいて検索し（ステップ２０１）、検索したカードＩＤの残価値が精算期限を経過しているかの判断を行う（ステップ２０２）。
【００４８】
そして、精算期限を経過していると判断する（ステップ２０２でＹＥＳ）と、残価値を等価換算で貯メダルに変換し（ステップ２０３）、精算期限経過の判断を行っていない残価値を有するカードＩＤを検索する（ステップ２０４）。
【００４９】
また、精算期限を経過していないと判断する（ステップ２０２でＮＯ）と、精算期限経過の判断を行っていない残価値を有するカードＩＤを検索する（ステップ２０４）。
【００５０】
ここで、他に精算期限経過の判断を行っていない残価値を有するカードＩＤを検出する（ステップ２０４でＹＥＳ）と、精算期限経過の判断を行い（ステップ２０２）、一方、他に精算期限経過の判断を行っていない残価値を有するカードＩＤは検出されないと判断する（ステップ２０４でＮＯ）と、データベースを更新する（ステップ２０５）。
【００５１】
なお、本実施の形態では、残価値の精算期限を判断しているが、精算期限が一律に当日限りである場合は、精算期限を判断することなく、残価値を貯メダルに変換してもよい。
【００５２】
また、閉店後など、当日に残価値の精算が行われないことが明らかな場合は、精算期限が当日である（精算期限を経過していない）残価値を貯メダルに変換してもよい。
【００５３】
ところで、残価値から貯メダルへの変換は、精算カードが精算機に挿入されることをきっかけとして行うことも可能であり、以下、図８を用いて説明する。
【００５４】
まず、精算機３０に精算カードが挿入される（ステップ３００）と、挿入された精算カードのカードＩＤを読み取り（ステップ３０１）、カードＩＤを管理装置２０に送信し（ステップ３０２）、読み取ったカードＩＤに関連付けて記録されている残価値を管理装置で照会する（ステップ３０３）。
【００５５】
管理装置２０は、残価値が精算期限を経過しているかの判断を行い（ステップ３０４）、残価値が精算期限を経過していないと判断する（ステップ３０４でＮＯ）と、残価値に応じて貨幣を払い出す通常の精算処理を行う（ステップ３０５）。
【００５６】
また、残価値が精算期限を経過していると判断する（ステップ３０４でＹＥＳ）と残価値を等価換算して貯メダルに変換し（ステップ３０６）、データベースを更新する（ステップ３０７）。
【００５７】
そして、管理装置２０は、精算機３０に精算カード排出の指示を送信し（ステップ３０８）、精算機３０は、精算カードを排出する（ステップ３０９）。
【００５８】
上記各実施の形態では、残価値や貯メダルに関する情報を管理装置のデータベースに記録しているが、管理装置に代えて精算カードに記録するしてもよい。
【００５９】
そこで、残価値を精算カードに記録する動作について図９を用いて説明する。
【００６０】
まず、メダル貸出機において貨幣の投入をうけたが、メダルを貸し出していない残金（残価値）が発生し、遊技者がメダル貸出機の精算ボタンを押すなど、メダル貸出機において精算指示を受ける（ステップ４００）と、精算カードが有るかの判断を行う（ステップ４０１）。
【００６１】
そして、精算カードがあると判断する（ステップ４０１でＹＥＳ）と、残価値を精算カードに記録し（ステップ４０２）、精算カードを排出する（ステップ４０３）。
【００６２】
また、精算カードがないと判断する（ステップ４０１でＮＯ）と、メダル貸出機の表示部に表示するなどの方法で精算カードを要求し（ステップ４０４）、精算カードが挿入される（ステップ４０５）と、残価値を精算カードに記録し（ステップ４０２）、精算カードを排出する（ステップ４０３）。
【００６３】
次に、精算カードに記録された残価値を貯メダルに変換して管理装置のデータベースに記録する動作について、図１０を用いて説明する。
【００６４】
まず、精算機３０に精算カードが挿入される（ステップ５００）と、挿入された精算カードのカードＩＤ及び残価値を読み取り（ステップ５０１）、カードＩＤ及び残価値を管理装置２０に送信する（ステップ５０２）
【００６５】
管理装置２０は、残価値が精算期限を経過しているかの判断を行い（ステップ５０３）、残価値が精算期限を経過していないと判断する（ステップ５０３でＮＯ）と、残価値に応じて貨幣を払い出す通常の精算処理を行う（ステップ５０４）。
【００６６】
また、残価値が精算期限を経過していると判断する（ステップ５０３でＹＥＳ）と残価値を等価換算して貯メダルに変換し（ステップ５０５）、データベースを更新する（ステップ５０６）。
【００６７】
そして、管理装置２０は、精算機３０に精算カード排出の指示を送信し（ステップ５０７）、精算機３０は、精算カードを排出する（ステップ５０８）。
【００６８】
ここで、精算カードに記録する情報は、残価値に限られるものではなく、メダル計数機で計測したメダル数を貯メダルに加算して記録することも可能である。
【００６９】
そこで、精算カードに記録された残価値を貯メダルに変換して精算カードに記録する動作を図１１を用いて説明する。
【００７０】
まず、精算機に精算カードが挿入される（ステップ６００）と、記録されている残価値を読み出し（ステップ６０１）、残価値が精算期限を経過しているかの判断を行う（ステップ６０２）。
【００７１】
ここで、残価値が精算期限を経過していないと判断する（ステップ６０２でＮＯ）と、残価値に応じて貨幣の払い出しを行い（ステップ６０３）、また、残価値が精算期限を経過していると判断する（ステップ６０２でＹＥＳ）と残価値を等価換算して貯メダルに変換する（ステップ６０４）。
【００７２】
そして、残価値を精算カードに記録し（ステップ６０５）、精算カードを排出する（ステップ６０６）。
【００７３】
なお、精算カードに記録される情報は、残価値又は残価値および貯メダルに限られるものではなく、残価値を管理装置のデータベースに記録し、貯メダルを精算カードに記録してもよい。
【００７４】
ところで、貯メダルの記録は、図１２にデータベースに記録する情報の一例を示すように、遊技機で獲得した勝ち分のメダル数と未精算金を変換したメダル数（残価値分）とを分けて記録し、勝ち分の貯メダルを優先的に使用してメダルの貸し出しを行い、景品交換等では、変換分の貯メダルを優先的に使用することが望ましく、景品交換時には、変換分のメダルを有利な換算率（等価）で換算し、勝ち分のメダルに比べて少ないメダル数で景品と交換してもよい。
【００７５】
そこで、図１３を用いて、勝ち分と残価値分とを分けて貯メダルを記録した際に景品と貯メダルを交換する際の動作について説明する。
【００７６】
まず、精算カードのに関連付けて記録されている貯メダルを検出し（ステップ７００）、景品との交換が指示される（ステップ７０１）と、景品との交換に必要な値が残価値から変換した貯メダルに相当する値を超えているかの判断を行う（ステップ７０２）。
【００７７】
そして、残価値分の貯メダルに相当する値を超えていると判断する（ステップ７０２でＹＥＳ）と残価値分を超えた値に相当する値を勝ち分の貯メダルから減じ（ステップ７０３）、また、残価値分の貯メダルに相当する値を超えないと判断する（ステップ７０２でＮＯ）と景品との交換に必要な値に相当するメダルを残価値分の貯メダルから減じ、精算カードのに関連付けて記録されている貯メダルの記録を更新する（ステップ７０４）。
【００７８】
なお、景品交換に必要な値としては、メダル数やメダル数を任意の換算率で換算した値を用いることができる。
【００７９】
貯メダルの記録としては、勝ち分と残価値分とを分けて記録する方法の他に、例えば、図１４に示すように、勝ち分と残価値分のメダル数を合算して記録すると共に、残価値分のメダル数を手数料不要分として記録し、景品との交換に際しては、手数料不要分に相当するメダルの手数料を徴収することなく景品と交換してもよい。
【００８０】
そこで、図１５を用いて、勝ち分と残価値分と合算して貯メダルを記録した際に景品と貯メダルを交換する際の動作について説明する。
【００８１】
まず、精算カードのに関連付けて記録されている貯メダルを検出し（ステップ８００）、景品との交換が指示される（ステップ８０１）と、景品との交換に必要な値が手数料不要分の貯メダルを任意の換算率で換算した値を超えるかの判断を行う（ステップ８０２）。
【００８２】
そして、手数料不要分の貯メダルを換算した値を超えると判断する（ステップ８０２でＹＥＳ）と、不足分の値に相当する値を任意の換算率から手数料を減じた換算率をもちいて、手数料不要分のメダル数を減じた貯メダルから減じ（ステップ８０３）、また、手数料不要分の貯メダルを換算した値を超えないと判断する（ステップ８０２でＮＯ）と景品との交換に必要な値に相当するメダルを手数料不要分の貯メダルから減じ、精算カードのに関連付けて記録されている貯メダルの記録を更新する（ステップ８０４）。
【００８３】
ところで、貯メダルを全て景品と交換する際には、貯メダルを任意の換算率で換算した後、手数料を換算して貯メダルを換算した値から減じてもよい。
【００８４】
そこで、図１６を用いて、貯メダルを全てを任意の換算率で換算した後、手数料を減じる際の動作について説明する。
【００８５】
まず、精算カードのに関連付けて記録されている貯メダルを検出し（ステップ９００）、全ての貯メダルを景品と交換する指示があると（ステップ９０１）と、任意の換算率を用いて貯メダルを換算する（ステップ９０２）。
【００８６】
そして、貯メダルの数から手数料不要分の貯メダル数を減じたメダル数に手数料の換算率を換算して手数料を算出し（ステップ９０３）、貯メダルに相当する値から手数料に相当する値を減じて景品との交換が可能な値を算出する（ステップ９０４）。
【００８７】
また、貯メダルの数を‘０’として、精算カードのに関連付けて記録されている貯メダルの記録を更新する（ステップ９０５）。
【００８８】
つまり、例えば、カードＩＤ：Ａ０００１を例にとると、貯メダル１１２５０枚を等価で換算した値から、１００００枚（貯メダルから手数料不要分を減じた値）を１．５円／枚（手数料）で換算した値を減じて景品との交換を行う。
【００８９】
上記各実施の形態では、残価値を等価で貯メダルに換算しているが、換算率は等価に限られるものではなく、任意の換算率で残価値を貯メダルに変換してもよい。
【００９０】
また、遊技媒体としてメダルを用いているが、遊技媒体はメダルに限られるものではなく、パチンコ玉などの遊技媒体を用いることもできる。
【００９１】
さらに、精算期限の経過した残価値から貯メダルへの変換は、会員カードなど、特定の識別媒体に関連付けて記録された残価値のみ行ってもよい。
【００９２】
具体的には、図１７に示されるように、精算期限が経過していると判断された後（ステップ１００２でＹＥＳ）に、該精算カードが会員カードであるかの判断を行い（ステップ１００３）、会員カードであると判断する（ステップ１００３でＹＥＳ）と、貯メダルに換算する。
【００９３】
一方、会員カードでないと判断する（ステップ１００３でＮＯ）と、貯メダルへの換算を行うことなく、次の未処理カードＩＤを検索する（ステップ１００５）。
【００９４】
このように本発明では、精算期限を経過した残価値を貯メダルに変換することにより、精算期限の経過した残価値をメダルを貸し出したとみなして処理することが可能となり、残価値に対応するための現金管理等が軽減される。
【００９５】
また、残価値を等価換算でメダルに変換することにより、遊技客は、残価値からメダルの貸し出しを受けた場合と同様の取り扱いを受けるため、遊技店と遊技客とのトラブル発生が抑制されることを期待することができる。
【００９６】
さらに、景品との交換時において、残価値から変換したメダルを価値分のメダルに比べて優遇して換算することにより、残価値に基づく現金管理を必要とすることなく、残価値と同様に扱うことができる。
【００９７】
【発明の効果】
このように本発明では、精算期限の経過した残価値を遊技媒体として管理することができる。
【図面の簡単な説明】
【図１】本発明に係る残価値管理システムの全体構成の一例を示す概略図
【図２】本発明に係るメダル貸出機の構成の一例を示す概略ブロック図
【図３】本発明に係る管理装置の構成の一例を示す概略ブロック図
【図４】本発明に係る精算機の構成の一例を示す概略ブロック図
【図５】本発明に係るメダル計数機の構成の一例を示す概略ブロック図
【図６】残価値を管理装置に記録する動作の一例を示すフローチャート
【図７】時間の経過に起因して残価値を貯メダルに変換して記録する動作の一例を示すフローチャート
【図８】精算カードの挿入に起因して残価値を貯メダルに変換して記録する動作の一例を示すフローチャート
【図９】残価値を精算カードに記録させる動作の一例を示すフローチャート
【図１０】精算カードに記録された残価値を貯メダルに変換する動作を示すフローチャート
【図１１】精算カードに記録された残価値を貯メダルに変換する動作を示すフローチャート
【図１２】勝ち分と変換分とを分けて記録した場合の一例を示すマスタテーブル
【図１３】景品交換時における貯メダルの処理動作の一例を示すフローチャート
【図１４】貯メダルを合算して記録すると共に手数料の対象とならないメダル数を記録した場合の一例を示すマスタテーブル
【図１５】景品交換時における貯メダルの処理動作の一例を示すフローチャート
【図１６】景品交換時における貯メダルの処理動作の一例を示すフローチャート
【図１７】会員カードについてのみ、残価値を貯メダルに変換可能とする動作の一例を示すフローチャート
【符号の説明】
１０…メダル貸出機
１１−１…貨幣投入口
１１−２…貨幣識別部
１２−１…カード挿入口
１２−２…カードリーダ
１３…表示部
１４…精算ボタン
１５…貸出ボタン
１６−１…メダル投出口
１６−２…メダル投出部
１７…通信インターフェイス
１８…メモリ
１９…貸出機制御部
２０…管理装置
２１…ＣＰＵ
２２…ＲＯＭ
２３…データベース
２４…表示部
２５…入力部
２６…通信インターフェイス
３０…精算機
３１−１…カード挿入口
３１−２…カードリーダ
３２…表示部
３３−１…貨幣払出口
３３−２…貨幣払出部
３４…貨幣収納部
３５…通信インターフェイス
３６…メモリ
３７…プリンタ
３８…精算機制御部
４０…メダル計数機
４１−１…カード挿入口
４１−２…カードリーダ
４２…メダル投入口
４３…メダル計数部
４４…タッチパネル（表示部兼操作部）
４５…通信インターフェイス
４６−１…レシート発行口
４６−２…プリンタ
４７…メダル計数機制御部
【図１】
2004329663.tif 000003
【図２】
2004329663.tif 000004
【図３】
2004329663.tif 000005
【図４】
2004329663.tif 000006
【図５】
2004329663.tif 000007
【図６】
2004329663.tif 000008
【図７】
2004329663.tif 000009
【図８】
2004329663.tif 000010
【図９】
2004329663.tif 000011
【図１０】
2004329663.tif 000012
【図１１】
2004329663.tif 000013
【図１２】
2004329663.tif 000014
【図１３】
2004329663.tif 000015
【図１４】
2004329663.tif 000016
【図１５】
2004329663.tif 000017
【図１６】
2004329663.tif 000018
【図１７】
2004329663.tif 000019